(57)【要約】【課題】コンタクトガラス等のシート原稿用読み取りガラスを不要にして、読み取り部を固定した読み取り位置から紙粉や粉塵等をずらすように除去することにより、スジ状の異常画像の発生を防止して高品質の画像形成が行われる、簡単な構造で低コストの画像読取装置、及び、その画像読取装置を具備する画像形成装置を提供する。【解決手段】読み取り部を固定した読み取り位置に原稿Ｏを搬送する原稿搬送手段１と、上記原稿搬送手段１で読み取り位置に搬送される原稿Ｏの原稿画像を読み取る読取手段２と、上記読取手段２の読み取り位置の原稿Ｏの原稿画像を照明する照明手段３と、上記照明手段３と照明される原稿Ｏの間に配置された透明な管形状のシート部材４と、上記透明な管形状のシート部材４を内側から支えながら回動する円筒形状部材５とからなる。【選択図】        図１
2004357160.tif 000002
【特許請求の範囲】
【請求項１】
読み取り部を固定した読み取り位置に原稿を搬送して原稿画像を読み取る画像読取装置において、上記読み取り位置に原稿を搬送する原稿搬送手段と、上記原稿搬送手段により読み取り位置に搬送された原稿の原稿画像を読み取る読取手段と、上記読み取り位置における原稿の原稿画像を照明する照明手段と、上記照明手段と照明される原稿との間に配置された透明な管形状のシート部材と、上記透明な管形状のシート部材を内側から支えながら回動する円筒形状部材と、を備えたことを特徴とする画像読取装置。
【請求項２】
請求項１に記載の画像読取装置において、透明な管形状のシート部材は、その表面を清掃手段で清掃されることを特徴とする画像読取装置。
【請求項３】
請求項２に記載の画像読取装置において、清掃手段は、隔離部材で読取手段と隔離されることを特徴とする画像読取装置。
【請求項４】
請求項２又は３に記載の画像読取装置において、清掃手段は円筒形状部材に圧着するように配置して、上記円筒形状部材と上記清掃手段の間を透明な管形状のシート部材が通過することを特徴とする画像読取装置。
【請求項５】
請求項２、３又は４に記載の画像読取装置において、清掃手段は、ブラシローラからなることを特徴とする画像読取装置。
【請求項６】
請求項１、２、３、４又は５に記載の画像読取装置において、円筒形状部材は、表面を覆う清掃用部材を備えることを特徴とする画像読取装置。
【請求項７】
請求項１、２、３、４、５又は６に記載の画像読取装置において、円筒形状部材は、複数個で透明な管形状のシート部材を内側から支えながら回動することを特徴とする画像読取装置。
【請求項８】
原稿画像を読み取って被転写体に画像を形成する画像形成装置において、原稿の原稿画像を読み取る上記請求項１乃至７の何れか一項に記載の画像読取装置と、上記画像読取装置の読み取る画像データの画像を形成する画像形成手段とからなることを特徴とする画像形成装置。
【請求項９】
請求項８に記載の画像形成装置において、画像形成手段は、電子写真方法でトナー画像を形成することを特徴とする画像形成装置。
【発明の詳細な説明】
【０００１】
【発明の属する技術分野】
本発明は、画像読取装置、及び、その画像読取装置を具備する画像形成装置に関し、詳しくは、読み取り部を固定した読み取り位置に原稿を搬送して原稿画像を読み取る画像読取装置、及び、その画像読取装置を具備して、原稿画像を読み取って被転写体に画像を形成する電子写真方法でトナー画像を形成する複写機、ファクシミリ装置、プリンタあるいはこれらの複合機等の画像形成装置に関する。
【０００２】
【従来の技術】
従来の画像読取装置、及び、その画像読取装置を具備する画像形成装置において、読み取り部を固定した読み取り位置にシート原稿を自動原稿搬送装置により搬送する時に、紙質のよくないシート原稿等により紙粉が発生し、シート原稿読取位置のシート原稿読取用ガラス付近に、その紙粉が溜まり易くなる。また、画像読取装置が粉塵などの環境条件のよくない場所に設置されていると、その粉塵がシート原稿読取用ガラスに付着し、スジ状の異常画像が発生していた。
図４に示す従来例において、従来の画像読取装置１００の内部には、光学ユニット１０２が存在し、その光学ユニット１０２内には、光源１０３、及び、両端支持された第１ミラー１０２ａ１よりなる第１ミラーユニット１０２ａ、そして、やはり両端支持された第２ミラー１０２ｂ１、第３ミラー１０２ｂ２よりなる第２ミラーユニット１０２ｂが設けられている。
図示しないホストコンピュータより送られてくる１ライン毎の画像読取要求の信号に応じて、第１ミラーユニット１０２ａ、及び、第２ミラーユニット１０２ｂは、それぞれ、２：１の速度で原稿に沿って移動しながら、逐次画像の読取りを行うよう構成されている。
自動原稿搬送装置１０１を用いる場合は、光学ユニット１０２を固定した状態にし、光源１０３から照射された光が、図示しない自動原稿読取装置により、シート原稿用読取ガラス１０４の表面１０４ａ上を搬送されたシート原稿（Ｏ）の原稿画像にて反射し、該反射光が、光学ユニット１０２の第１ミラーユニット１０２ａ、第２ミラーユニット１０２ｂ、レンズ１０２ｃを介して結像し、ＣＣＤなどの読取センサ１０２ｄにより電気信号の画像データに変換された後、図示しないホストコンピュータ等へ転送される。
【０００３】
従来の画像読取装置１００では、紙質のよくないシート原稿（Ｏ）が、シート原稿用読取ガラス１０４の表面１０４ａ上を搬送されたり、環境のよくない場所での使用等などにより、紙粉や粉塵がシート原稿用読取ガラス１０４近傍に付着して、スジ状の異常画像が発生していた。
そこで、コンタクトガラスを固定部材に固定し、さらに固定部材を回転カム、ホームポジションセンサ等によって副走査方向に往復移動することにより読み取り部とコンタクトガラスの読取位置とを相対的に移動させながら画像読み取りを行うようにして、コンタクトガラス上のゴミの付着や滞留を防止することにより、ゴミの付着や滞留に起因する黒筋等の発生を低減することは公知である（例えば、特許文献１参照）。
画像読取時にプラテンガラスと原稿の間に進入して原稿に接触する透明部シート材を備え、その透明シート部材を画像読取時に原稿とは別に移動させるようにして、画像読取位置にローラ粉や印字物質粉、埃、塵等の異物が滞留するのを防止して、読取画像に黒スジが表れないようにすることも公知である（例えば、特許文献２参照）。
画像読み取り時に原稿と接触する画像読み取り面のコンタクトガラスの上面が給紙方向に向かって下降するように、読取ローラ対、読取加圧板、コンタクトガラス、排紙ローラ対等の配置された搬送路を所定角度だけ傾斜させて、給紙原稿の画像面に付着した紙粉、トナー剥離片、ゴム粉等が自重及び慣性力によってコンタクトガラス面を滑り落ちるようにして、紙粉、トナー剥離片、ゴム粉等がコンタクトガラスに付着することを防止することも公知である（例えば、特許文献３参照）。
【０００４】
更に、ＡＤＦモードで原稿を読み取るときに発生する原稿からの紙粉を、ＡＤＦ読み取り側のコンタクトガラスの端部に当接する掬上げ部材の端部に形成した落とし込み部分に取り付けたゴミ箱に収納するようにして、装置本体内部への侵入を防止することも公知である（例えば、特許文献４参照）。
然し、自動原稿搬送装置によるシート原稿搬送時に、シート原稿用読み取りガラス上に付着する紙粉や粉塵等によって発生するスジ状の異常画像を防止するために、コンタクトガラス等のシート原稿用読み取りガラス上に付着した紙粉や粉塵等を除去するもので、構造が複雑でコスト高や、コンタクトガラス等のシート原稿用読み取りガラス上の紙粉や粉塵等の除去が不十分でスジ状の異常画像が形成されていた。
従って、従来の画像読取装置、及び、その画像読取装置を具備する画像形成装置は、読み取り部を固定した読み取り位置に原稿を自動原稿搬送装置により搬送する時に、シート原稿用読み取りガラス上に付着する紙粉や粉塵等によって発生するスジ状の異常画像を防止するために、シート原稿用読み取りガラス上に付着した紙粉や粉塵等を除去するもので、構造が複雑でコスト高や、コンタクトガラス等のシート原稿用読み取りガラス上の紙粉や粉塵等の除去が不十分でスジ状の異常画像が形成されと言う不具合が生じていた。
【特許文献１】特開２００１−２７２８２９公報
【特許文献２】特開２００２−２１８１６６公報
【特許文献３】特開２００２−９４７４０公報
【特許文献４】特開平９−１７１２７４号公報
【０００５】
【発明が解決しようとする課題】
そこで本発明の課題は、このような問題点を解決するものである。即ち、コンタクトガラス等のシート原稿用読み取りガラスを不要にして、読み取り部を固定した読み取り位置から紙粉や粉塵等をずらすように除去することにより、スジ状の異常画像の発生を防止して高品質の画像形成が行われる、簡単な構造で低コストの画像読取装置、及び、その画像読取装置を具備する画像形成装置を提供することを目的とする。
【０００６】
【課題を解決するための手段】
上記目的を達成するために、請求項１の本発明は、読み取り部を固定した読み取り位置に原稿を搬送して原稿画像を読み取る画像読取装置において、読み取り部を固定した読み取り位置に原稿を搬送する原稿搬送手段と、上記原稿搬送手段で読み取り位置に搬送される原稿の原稿画像を読み取る読取手段と、上記読取手段の読み取り位置の原稿の原稿画像を照明する照明手段と、上記照明手段と照明される原稿の間に配置された透明な管形状のシート部材と、上記透明な管形状のシート部材を内側から支えながら回動する円筒形状部材とからなる画像読取装置であることを最も主要な特徴とする。
請求項２の本発明は、請求項１に記載の画像読取装置において、透明な管形状のシート部材は、表面を清掃手段で清掃される画像読取装置であることを主要な特徴とする。
請求項３の本発明は、請求項２に記載の画像読取装置において、清掃手段は、隔離部材で読取手段と隔離する画像読取装置であることを主要な特徴とする。
請求項４の本発明は、請求項２又は３に記載の画像読取装置において、清掃手段は円筒形状部材に圧着するように配置して、上記円筒形状部材と上記清掃手段の間を透明な管形状のシート部材が通過する画像読取装置であることを主要な特徴とする。
請求項５の本発明は、請求項２、３又は４に記載の画像読取装置において、清掃手段は、ブラシローラからなる画像読取装置であることを主要な特徴とする。
請求項６の本発明は、請求項１、２、３、４又は５に記載の画像読取装置において、円筒形状部材は、表面を覆う清掃用部材からなる画像読取装置であることを主要な特徴とする。
請求項７の本発明は、請求項１、２、３、４、５又は６に記載の画像読取装置において、円筒形状部材は、複数個で透明な管形状のシート部材を内側から支えながら回動する画像読取装置であることを主要な特徴とする。
請求項８の本発明は、原稿画像を読み取って被転写体に画像を形成する画像形成装置において、原稿の原稿画像を読み取る上記請求項１乃至７の何れか一項に記載の画像読取装置と、上記画像読取装置の読み取る画像データの画像を形成する画像形成手段とからなる画像形成装置であることを最も主要な特徴とする。
請求項９の本発明は、請求項８に記載の画像形成装置において、画像形成手段は、電子写真方法でトナー画像を形成する画像形成装置であることを主要な特徴とする。
【０００７】
【発明の実施の形態】
次に、本発明の実施の形態を図面を参照して詳細に説明する。
図１と図２において、読み取り部を固定した読み取り位置に原稿を搬送して原稿画像を読み取る画像読取装置０は、固定した読み取り位置に原稿（Ｏ）を搬送する原稿搬送手段１と、原稿搬送手段１で読み取り位置に搬送される原稿（Ｏ）の原稿画像を読み取る読取手段２と、読み取り位置の原稿（Ｏ）の原稿画像を照明する照明手段３と、照明手段３と照明される原稿（Ｏ）の間に配置された透明な管形状の（エンドレスに張設された）シート部材４と、シート部材４を内側からエンドレスに支持しながら回動する複数の円筒形状部材５とからなり、コンタクトガラス等のシート原稿用読み取りガラスを不要とし、固定した読み取り位置から紙粉や粉塵等をずらすように確実に除去し、スジ状の異常画像の発生を防止して画像読み取りが行われ、簡単な構造で低コストである。
画像読取装置０の内部には、読取手段２が存在し、読取手段２内には、照明手段３の光源、及び、両端支持された第１ミラー２ａ１よりなる第１ミラーユニット２ａ、そして、やはり両端支持された第２ミラー２ｂ１、第３ミラー２ｂ２よりなる第２ミラーユニット２ｂが設けられている。
図示しないホストコンピュータより送られてくる１ライン毎の画像読取要求の信号に応じて、第１ミラーユニット２ａ、及び、第２ミラーユニット２ｂは、それぞれ、２：１の速度で原稿（Ｏ）に沿って移動しながら、逐次、原稿画像の読取りを行うよう構成されている。
原稿搬送手段１を用いる場合は、読取手段２を固定した状態にして、上記照明手段３の光源から照射された光が、図示しない自動原稿読取装置によりシート部材４の表面４ａ上を図示の矢印（Ａ）方向に搬送された原稿（Ｏ）の原稿画像に反射して、その反射光が、第１ミラーユニット２ａ、第２ミラーユニット２ｂ、レンズ２ｃを介して結像し、ＣＣＤ等の読取センサ２ｄにより電気信号の画像データに変換された後、図示しないホストコンピュータ等へ転送されて原稿（Ｏ）の原稿画像の読み取りが行われる。
【０００８】
図示するように、シート部材４は、従来のコンタクトガラス等のシート原稿用読取ガラス１０４を不要にして、且つ、シート部材４を、内側から複数の円筒形状部材５のローラにより支えることで、複数の円筒形状部材５の図示の矢印（Ｂ）方向の回転に連動して、シート部材４が図示の矢印（Ｃ）方向に移動することにより、読み取り部を固定した読み取り位置（Ｄ）から紙粉や粉塵等をずらすように除去する。
従って、従来のシート原稿用読み取りガラス１０４を不要にして、読み取り部を固定した読み取り位置（Ｄ）から紙粉や粉塵等をずらすように除去することにより、スジ状の異常画像の発生を防止して画像読み取りが行われる、簡単な構造で低コストの上記画像読取装置０を提供することが出来るようになった。
又、円筒形状部材５は、表面を清掃用部材５ａの清掃用ブラシで覆って作成されている。
且つ、シート部材４の表面４ａは、外側から別の清掃手段６の清掃用ブラシからなるブラシローラ６ａを圧着させた状態になっている。
このような状態にすることで、シート部材４が、円筒形状部材５の図示の矢印（Ｂ）方向の回転に連動して、図示の矢印（Ｃ）方向に移動する際に、圧着された円筒形状部材５と上記清掃手段６の清掃用ブラシからなる上記ブラシローラ６ａとの両者の間を通過することとなる。
ブラシローラ６ａは、隔離部材７によって、第１ミラーユニット２ａ、第２ミラーユニット２ｂ、レンズ２ｃ、読取センサ２ｄ等に隔離されている。
従って、上記清掃手段６の清掃用ブラシからなるブラシローラ６ａから、第１ミラーユニット２ａ、第２ミラーユニット２ｂ、レンズ２ｃ、読取センサ２ｄ等に、読み取り部を固定した読み取り位置（Ｄ）からずらすように除去された紙粉や粉塵等が、飛散、又は、落下することを防止する。
従って、シート部材４の表面４ａに付着した紙粉や粉塵等を取り除くだけでなく、シート部材４の表面４ｂに付着した紙粉や粉塵等も同時に取り除くこと出来るので、更に、スジ状の異常画像の発生を確実に防止して画像読み取りが行われる、簡単な構造で低コストの上記画像読取装置０を提供することが出来るようになった。
【０００９】
図３は本発明を適用した画像形成装置の構成図であり、同図において、原稿画像を読み取って被転写体に画像を形成する画像形成装置１０は、読み取り部を固定した読み取り位置に原稿を搬送して原稿画像を読み取る請求項１乃至７の何れか一項に記載の上記画像読取装置０と、上記画像読取装置０の読み取る画像データを電子写真方法でトナー画像を形成する画像形成手段１１とからなり、コンタクトガラス等のシート原稿用読み取りガラスを不要にして、読み取り部を固定した読み取り位置から紙粉や粉塵等をずらすように除去することにより、スジ状の異常画像の発生を防止して高品質の画像形成が行われ、簡単な構造で低コストである。
上記画像形成装置１０の電子写真方法でトナー画像を形成する複写機は、上部には、読み取り部を固定した読み取り位置に原稿を搬送して原稿画像を読み取る上記請求項１乃至７の何れか一項に記載の上記画像読取装置０が配置されている。
他方、下部には、上記画像形成手段１１を載置して被転写体（Ｐ）の転写用紙を供給する被転写体供給装置１２が配置されている。
読み取り部を固定した読み取り位置に原稿を搬送して原稿画像を読み取る上記請求項１乃至７の何れか一項に記載の上記画像読取装置０で、読み取る原稿（０）の原稿画像の画像データでトナー画像を形成する電子写真方法による、画像書き込み手段１１ｃのレーザーダイオードを発光させることにより、帯電器１１ｂで均一に帯電された像担持体１１ａのドラム形状の感光体ドラム上に静電潜像を形成する。
上記画像書き込み手段１１ｃのレーザーダイオードを発光させて形成した静電潜像を現像器１１ｄで顕像化してトナー画像を形成する。
上記現像器１１ｄで顕像化したトナー画像は、転写器１１ｅで、上記被転写体供給装置１２から搬送されて来る被転写体（Ｐ）の転写用紙に転写される。
上記転写器１１ｅで被転写体（Ｐ）の転写用紙に転写されたトナー画像は、定着器１１ｆにて加熱と加圧された後に、排紙ローラ１１ｇによって排紙トレイ１１ｈへ送り出されて収納されるようになっている。
他方、上記像担持体１１ａのドラム形状の感光体ドラムは、上被転写体（Ｐ）の転写用紙にトナー画像を転写した後に、上記像担持体１１ａのドラム形状の感光体ドラム上に付着した残留トナーを、クリーニング部材１１ｉによって掻き落とされてクリーニングされて、次工程の画像形成に備えるようになっている。
従って、コンタクトガラス等のシート原稿用読み取りガラスを不要にして、読み取り部を固定した読み取り位置から紙粉や粉塵等をずらすように除去することにより、スジ状の異常画像の発生を防止して高品質の画像形成が行われ、簡単な構造で低コストである上記画像読取装置０を具備する上記画像形成装置１０を提供することが出来るようになった。
【００１０】
【発明の効果】
本発明は、以上説明したように構成されているので、請求項１の発明によれば、コンタクトガラス等のシート原稿用読み取りガラスを不要にして、読み取り部を固定した読み取り位置から紙粉や粉塵等をずらすように除去することにより、スジ状の異常画像の発生を防止して画像読み取りが行われ、簡単な構造で低コストである画像読取装置を提供することが出来るようになった。
請求項２の発明によれば、コンタクトガラス等のシート原稿用読み取りガラスを不要にして、読み取り部を固定した読み取り位置から紙粉や粉塵等をずらすように除去することにより、透明な管形状のシート部材の表面に付着した紙粉や粉塵等を取り除き、スジ状の異常画像の発生を防止して画像読み取りが行われ、簡単な構造で低コストである画像読取装置を提供することが出来るようになった。
請求項３の発明によれば、コンタクトガラス等のシート原稿用読み取りガラスを不要にして、読み取り部を固定した読み取り位置から紙粉や粉塵等をずらすように除去することにより、透明な管形状のシート部材の表面に付着した紙粉や粉塵等を取り除き、清掃手段のブラシローラから読取手段に読み取り部を固定した読み取り位置からずらすように除去された紙粉や粉塵等が飛散又は落下することを防止して、スジ状の異常画像の発生を防止して画像読み取りが行われ、簡単な構造で低コストである画像読取装置を提供することが出来るようになった。
請求項４の発明によれば、コンタクトガラス等のシート原稿用読み取りガラスを不要にして、読み取り部を固定した読み取り位置から紙粉や粉塵等をずらすように除去することにより、透明な管形状のシート部材の表面と裏面に付着した紙粉や粉塵等を同時に取り除き、スジ状の異常画像の発生を防止して画像読み取りが行われ、簡単な構造で低コストである画像読取装置を提供することが出来るようになった。
請求項５の発明によれば、コンタクトガラス等のシート原稿用読み取りガラスを不要にして、読み取り部を固定した読み取り位置から紙粉や粉塵等をずらすように除去することにより、透明な管形状のシート部材の表面に付着した紙粉や粉塵等をブラシローラで取り除き、スジ状の異常画像の発生を防止して画像読み取りが行われ、簡単な構造で低コストである画像読取装置を提供することが出来るようになった。
【００１１】
請求項６の発明によれば、コンタクトガラス等のシート原稿用読み取りガラスを不要にして、読み取り部を固定した読み取り位置から紙粉や粉塵等をずらすように除去することにより、透明な管形状のシート部材の裏面に付着した紙粉や粉塵等を取り除き、スジ状の異常画像の発生を防止して画像読み取りが行われ、簡単な構造で低コストである画像読取装置を提供することが出来るようになった。
請求項７の発明によれば、コンタクトガラス等のシート原稿用読み取りガラスを不要にして、読み取り部を固定した読み取り位置から紙粉や粉塵等をずらすように確実に除去することにより、スジ状の異常画像の発生を防止して画像読み取りが行われ、簡単な構造で低コストである画像読取装置を提供することが出来るようになった。
請求項８の発明によれば、コンタクトガラス等のシート原稿用読み取りガラスを不要にして、読み取り部を固定した読み取り位置から紙粉や粉塵等をずらすように除去することにより、スジ状の異常画像の発生を防止して画像形成が行われ、簡単な構造で低コストである画像読取装置を具備する画像形成装置を提供することが出来るようになった。
請求項９の発明によれば、コンタクトガラス等のシート原稿用読み取りガラスを不要にして、読み取り部を固定した読み取り位置から紙粉や粉塵等をずらすように除去することにより、スジ状の異常画像の発生を防止して高品質の画像形成が行われ、簡単な構造で低コストである画像読取装置を具備する画像形成装置を提供することが出来るようになった。
【図面の簡単な説明】
【図１】本発明の実施の形態例を示す画像読取装置を説明する説明図。
【図２】本発明の実施の形態例を示す画像読取装置の主要部を説明する拡大図。
【図３】本発明の実施の形態例を示す画像読取装置を具備する画像形成装置を説明する説明図。
【図４】従来の画像読取装置を説明する説明図である。
【符号の説明】
０  画像読取装置
１  原稿搬送手段
２  読取手段、
２ａ  第１ミラーユニット、
２ａ１  第１ミラー、
２ｂ  第２ミラーユニット、
２ｂ１  第２ミラー、
２ｂ２  第３ミラー、
２ｃ  レンズ、
２ｄ  読取センサ
３  照明手段
４  透明な管形状のシート部材、
４ａ  表面、
４ｂ  裏面
５  円筒形状部材、
５ａ  清掃用部材
６  清掃手段、
６ａ  ブラシローラ
７  隔離部材
１０  画像形成装置
１１  画像形成手段、
１１ａ  像担持体、
１１ｂ  帯電器、
１１ｃ  画像書き込み手段、
１１ｄ  現像器、
１１ｅ  転写器、
１１ｆ  定着器、
１１ｇ  排紙ローラ、
１１ｈ  排紙トレイ、
１１ｉ  クリーニング部材
１２  被転写体供給装置
１００  画像読取装置
１０１  自動原稿搬送装置
１０２  光学ユニット、
１０２ａ  第１ミラーユニット、
１０２ａ１  第１ミラー、
１０２ｂ  第２ミラーユニット、
１０２ｂ１  第１ミラー、
１０２ｂ２  第３ミラー、
１０２ｃ  レンズ、
１０２ｄ  読取センサ
１０３  光源
１０４  シート原稿用読取ガラス、
１０４ａ  表面
【図１】
2004357160.tif 000003
【図２】
2004357160.tif 000004
【図３】
2004357160.tif 000005
【図４】
2004357160.tif 000006